(57)【特許請求の範囲】
【請求項１】
回路が形成される基板と、
前記回路と電気的に接続される端子を含む端子ユニットと、
前記端子ユニットが取り付けられる取付部と、
発光素子を含み、前記取付部に取り付けられる光源部と
を備え、
前記基板は、
第１切欠部を有し、
前記端子ユニットは、前記取付部の第１取付面に取り付けられ、
前記第１取付面は、前記第１切欠部によって規定される切欠領域に対向し、
前記光源部は、前記取付部の第２取付面に取り付けられ、
前記第２取付面は、前記第１取付面に対向し、
前記基板は、
前記取付部に対して、前記端子ユニットが配置される側と前記光源部が配置される側とのうち、前記端子ユニットが配置される側に位置し、
前記第１取付面に沿った方向において、前記端子ユニットと異なる位置に位置する、照明器具。
【請求項２】
前記基板を保持する保持部材をさらに備え、
前記保持部材は、前記第１切欠部に沿って形成される第２切欠部を有する、請求項１に記載の照明器具。
【請求項３】
前記保持部材の縁は、前記基板の縁よりも前記基板の外側に位置し、
前記保持部材の前記縁は、前記第２切欠部の縁を含み、
前記保持部材の前記縁のうち前記第２切欠部の前記縁と異なる縁には、凹部が形成される、請求項２に記載の照明器具。
【請求項４】
前記基板に実装されるセンサーをさらに備える、請求項１から請求項３のいずれか１項に記載の照明器具。
【請求項５】
前記取付部が形成され、前記基板を収容する筐体をさらに備え、
前記筐体には、第１開口部が形成される、請求項１から請求項４のいずれか１項に記載の照明器具。
【請求項６】
前記取付部が形成され、前記基板を収容する筐体をさらに備え、
前記筐体は、湾曲している第１壁部を含み、
前記第１壁部は、前記第１切欠部の縁に対向し、前記基板のうち前記回路が形成される面に交差する方向に沿って延びている、請求項１から請求項５のいずれか１項に記載の照明器具。
【請求項７】
前記第１壁部は、前記第１切欠部の前記縁のうちの一部の縁に対向し、
前記基板を保持する保持部材をさらに備え、
前記保持部材は、平板状の第２壁部を含み、
前記第２壁部は、前記第１切欠部の前記縁のうちの他の一部の縁に対向し、前記回路が形成される前記面に交差する前記方向に沿って延びている、請求項６に記載の照明器具。
【請求項８】
第１開口部及び前記取付部が形成され、前記基板を収容する筐体と、
前記筐体の外面の側から前記第１開口部を覆うとともに、第２開口部が形成されるパネルと、
前記筐体に収容され、前記第１開口部を介して前記第２開口部から露出するセンサーと、
前記光源部を覆うカバーと
をさらに備え、
前記パネルは、前記カバーが当接する当接部を含む、請求項１から請求項７のいずれか１項に記載の照明器具。
【請求項９】
前記パネルの一部又は全部は、遮光する、請求項８に記載の照明器具。
【請求項１０】
前記基板は、前記端子ユニットの厚さ内に収まるように配置される、請求項１から請求項９のいずれか１項に記載の照明器具。
【発明の詳細な説明】
【技術分野】
【０００１】
本発明は、照明器具に関する。
【背景技術】
【０００２】
特許文献１に記載された照明装置は、複数のＬＥＤと、複数のＬＥＤを点灯させる点灯回路と、電源線が接続される速結端子と、基板とを備える。複数のＬＥＤと点灯回路と速結端子とは、基板に実装される。
【先行技術文献】
【特許文献】
【０００３】
【特許文献１】特開２０１４−１１２４７０号公報
【発明の概要】
【発明が解決しようとする課題】
【０００４】
しかしながら、特許文献１に記載された照明装置では、速結端子は、基板に実装されるため、基板から突出する。従って、照明装置を薄型化することが困難である。
【０００５】
本発明は上記課題に鑑みてなされたものであり、その目的は、薄型化を実現できる照明器具を提供することにある。
【課題を解決するための手段】
【０００６】
本願に開示する照明器具は、基板と、端子ユニットと、取付部と、光源部とを備える。基板には、回路が形成される。端子ユニットは、前記回路と電気的に接続される端子を含む。取付部には、前記端子ユニットが取り付けられる。光源部は、発光素子を含み、前記取付部に取り付けられる。前記基板は、第１切欠部を有する。前記端子ユニットは、前記取付部の第１取付面に取り付けられる。前記第１取付面は、前記第１切欠部によって規定される切欠領域に対向する。前記光源部は、前記取付部の第２取付面に取り付けられる。前記第２取付面は、前記第１取付面に対向する。前記基板は、前記取付部に対して、前記端子ユニットが配置される側と前記光源部が配置される側とのうち、前記端子ユニットが配置される側に位置し、前記第１取付面に沿った方向において、前記端子ユニットと異なる位置に位置する。
【０００７】
本願に開示する照明器具は、前記基板を保持する保持部材をさらに備えることが好ましい。前記保持部材は、前記第１切欠部に沿って形成される第２切欠部を有することが好ましい。
【０００８】
本願に開示する照明器具において、前記保持部材の縁は、前記基板の縁よりも前記基板の外側に位置し、前記保持部材の前記縁は、前記第２切欠部の縁を含むことが好ましい。前記保持部材の前記縁のうち前記第２切欠部の前記縁と異なる縁には、凹部が形成されることが好ましい。
【００１０】
本願に開示する照明器具は、前記基板に実装されるセンサーをさらに備えることが好ましい。
【００１１】
本願に開示する照明器具は、筐体をさらに備えることが好ましい。筐体には、前記取付部が形成され、筐体は、前記基板を収容することが好ましい。前記筐体には、第１開口部が形成されることが好ましい。
【００１２】
本願に開示する照明器具は、筐体をさらに備えることが好ましい。筐体には、前記取付部が形成され、筐体は、前記基板を収容することが好ましい。前記筐体は、湾曲している第１壁部を含むことが好ましい。前記第１壁部は、前記第１切欠部の縁に対向し、前記基板のうち前記回路が形成される面に交差する方向に沿って延びていることが好ましい。
【００１３】
本願に開示する照明器具において、前記第１壁部は、前記第１切欠部の前記縁のうちの一部の縁に対向することが好ましい。照明器具は、前記基板を保持する保持部材をさらに備えることが好ましい。前記保持部材は、平板状の第２壁部を含むことが好ましい。前記第２壁部は、前記第１切欠部の前記縁のうちの他の一部の縁に対向し、前記回路が形成される前記面に交差する前記方向に沿って延びていることが好ましい。
【００１４】
本願に開示する照明器具は、第１開口部及び前記取付部が形成され、前記基板を収容する筐体と、前記筐体の外面の側から前記第１開口部を覆うとともに、第２開口部が形成されるパネルと、前記筐体に収容され、前記第１開口部を介して前記第２開口部から露出するセンサーと、前記光源部を覆うカバーとをさらに備えることが好ましい。前記パネルは、前記カバーが当接する当接部を含むことが好ましい。
【００１５】
本願に開示する照明器具において、前記パネルの一部又は全部は、遮光することが好ましい。
本願に開示する照明器具において、前記基板は、前記端子ユニットの厚さ内に収まるように配置されることが好ましい。
【発明の効果】
【００１６】
本発明によれば、照明器具の薄型化を実現できる。
【図面の簡単な説明】
【００１７】
【図１】（ａ）本発明の実施形態に係る照明器具の正面側を示す斜視図である。（ｂ）本発明の実施形態に係る照明器具の正面側を示す平面図である。
【図２】図１（ｂ）のＩＩ−ＩＩ線に沿った断面図である。
【図３】本発明の実施形態に係る照明器具の基板及び保持部材を示す斜視図である。
【図４】本発明の実施形態に係る照明器具の裏側を示す平面図である。
【図５】本発明の実施形態に係る照明器具の筐体の内部を示す斜視図である。
【図６】本発明の実施形態に係る照明器具からカバーを取り外したときの照明器具を示す斜視図である。
【発明を実施するための形態】
【００１８】
以下、本発明の実施形態について、図面を参照しながら説明する。なお、図中、同一または相当部分については同一の参照符号を付して説明を繰り返さない。実施形態において、Ｘ軸及びＹ軸は水平方向に沿っており、Ｚ軸は鉛直方向に沿っており、Ｘ軸、Ｙ軸、及びＺ軸は互いに直交する。
【００１９】
図１（ａ）は、本発明の実施形態に係る照明器具１の正面側を示す斜視図である。図１（ｂ）は、照明器具１の正面側を示す平面図である。図１（ａ）及び図１（ｂ）に示すように、照明器具１は、略円板状であり、光源部３と、センサー５と、カバー７と、パネル９と、外装部材１１とを備える。例えば、照明器具１は、天井のような天壁又は側壁に取り付けられる。
【００２０】
光源部３は、複数のＬＥＤ（Ｌｉｇｈｔ  Ｅｍｉｔｔｉｎｇ  Ｄｉｏｄｅ）３ａと、基板３ｂとを含む。複数のＬＥＤ３ａは略円形又は略多角形の基板３ｂに実装される。ＬＥＤ３ａは発光素子として機能する。例えば、光源部３は、ＳＭＤ（Ｓｕｒｆａｃｅ  Ｍｏｕｎｔ  Ｄｅｖｉｃｅ）タイプである。ＳＭＤタイプは、ＬＥＤ３ａと蛍光体とを１ユニット化してＬＥＤチップを形成し、複数のＬＥＤチップを基板３ｂの実装面に載置して基板３ｂの導電パターンに電気的に接続することにより光源部３を形成するタイプである。例えば、光源部３は、ＣＯＢ（Ｃｈｉｐ  ｏｎ  Ｂｏａｒｄ）タイプであってもよい。ＣＯＢタイプは、複数のＬＥＤ３ａを蛍光体で封止することにより光源部３を形成するタイプである。なお、光源部３は１つのＬＥＤ３ａを含んでいてもよい。
【００２１】
カバー７は光源部３を覆う。カバー７は、略優弧状の外縁と略直線状の外縁とを含む。カバー７は、例えば、ＬＥＤ３ａが発光した光を拡散して出射する。例えば、カバー７は、光拡散材料を混ぜた樹脂を板状に成形することによって形成される。例えば、カバー７は、透明の板状部材の光出射面又は光入射面に微小な凹凸を設けることによって形成される。例えば、カバ−７は、白色のような色彩を有する。
【００２２】
センサー５は、例えば、人感センサーであり、人間若しくは動物などが放射する赤外線を検知し、又は明暗センサーであり、環境の明るさを検知する。センサー５は、平面視において、光源部３と異なる位置に配置される。センサー５は、パネル９に形成された略円形状の第２開口部５２から露出する。なお、第１開口部については後述する。
【００２３】
パネル９は、略劣弧状の外縁と略直線状の外縁とを含む。パネル９は、カバー７に隣接し、パネル９とカバー７とで、略円形を形成する。パネル９は遮光する。パネル９の全部が遮光することが好ましいが、パネル９の一部が遮光してもよい。例えば、パネル９は、遮光する材料で形成され、又は遮光する塗料で塗装される。なお、センサー５及びパネル９を備えずに、カバー７を略円形に成形して、カバー７で光源部３を覆うこともできる。外装部材１１は、略円筒状であり、照明器具１の外装を形成する。
【００２４】
図２〜図６を参照して、照明器具１の詳細について説明する。図２は、図１（ｂ）のＩＩ−ＩＩ線に沿った断面図である。図２に示すように、照明器具１は、基板２１と、保持部材２３と、筐体２５と、取付部２７と、複数の端子２９ａを含む端子ユニット２９とをさらに備える。
【００２５】
図２及び図３を参照して、基板２１及び保持部材２３について説明する。図３は、基板２１及び保持部材２３を示す斜視図である。図２及び図３に示すように、基板２１には、電源回路２２（回路）が形成される。電源回路２２は、光源部３に接続され、光源部３に電力を供給する。電源回路２２は、基板２１を介して、複数の端子２９ａのうちの一部の端子２９ａと電気的に接続される。一方、複数の端子２９ａのうちの他の一部の端子２９ａには、照明器具１の外部から引き込まれた電源線２０が接続され、電源電圧が供給される。従って、電源回路２２には、電源線２０から供給された電源電圧が、複数の端子２９ａを介して供給される。つまり、端子ユニット２９は、電源回路２２と電源線２０とを電気的に接続する。端子ユニット２９は、例えば、端子台である。そして、電源回路２２は、電源電圧に基づく電力を光源部３に供給する。
【００２６】
基板２１にはセンサー５が実装される。具体的には、センサー５は、センサー５を通る対称軸に対して基板２１が略対称になるように、基板２１に実装される。
【００２７】
基板２１は、平面視において略馬蹄形を有し、略Ｕ字状の第１切欠部３１を有する。具体的には、基板２１は、略円板状の基板を略Ｕ字状に切り欠くことにより形成される。その結果、基板２１には第１切欠部３１が形成される。基板２１の縁Ｅ１は、第１切欠部３１の略円弧状の縁３１ａと、第１切欠部３１の２つの略直線状の縁３１ｂと、縁３１ａ及び縁３１ｂと異なる略優弧状の縁２１ａとを含む。
【００２８】
保持部材２３は、基板２１を保持し、互いに対向する一対の第２壁部７２を含む。なお、第１壁部については後述する。基板２１を保持した保持部材２３は、電源回路２２が筐体２５の内面２６ａに対向するように、筐体２５に収容される。保持部材２３は、板状部材であり、例えば、鋼板のような板金により形成される。
【００２９】
保持部材２３は、平面視において略馬蹄形を有し、基板２１の第１切欠部３１に沿って形成される略Ｕ字状の第２切欠部３３を有する。具体的には、保持部材２３は、略円板状の板状部材を略鍵穴状に切り欠き、一対の略矩形部分を略直角に折曲加工することにより形成される。その結果、保持部材２３には、第２切欠部３３と一対の第２壁部７２とが形成される。略鍵穴状とは、半円形状の輪郭部分と、半円形状の輪郭部分の直線部分の一部から矩形状に突出する輪郭部分とを有する形状のことである。
【００３０】
保持部材２３の縁Ｅ２は、基板２１の縁Ｅ１よりも基板２１の外側に位置する。保持部材２３の縁Ｅ２は、第２切欠部３３の略円弧状の縁３３ａと、第２切欠部３３の２つの略直線状の縁３３ｂと、縁３３ａ及び縁３３ｂとは異なる略優弧状の縁２３ａとを含む。
【００３１】
保持部材２３の縁２３ａには、互いに対向する２つの凹部３５が形成される。凹部３５は略半円形状又は略Ｕ字状の切欠部を有する。２つの凹部３５は、保持部材２３において、センサー５に対して対称な位置に形成される。従って、一方の凹部３５とセンサー５との間の距離と、他方の凹部３５とセンサー５との間の距離とは略等しい。
【００３２】
保持部材２３の第２壁部７２は、略平板状であり、基板２１の第１切欠部３１の縁３１ｂに対向する。第２壁部７２は、基板２１のうち電源回路２２が形成される実装面２８（面）に交差する方向Ｄに沿って、第２切欠部３３の縁３３ｂから延びている。本実施形態では、方向Ｄは、実装面２８に略直交する方向である。
【００３３】
図２及び図４を参照して、筐体２５及び取付部２７について説明する。図２に示すように、筐体２５は、光源部３、基板２１、保持部材２３、及び端子ユニット２９を収容し、略有底円筒形状である。筐体２５は、例えば、アルミニウムにより形成される。筐体２５には取付部２７が形成される。そして、取付部２７と基板２１とは、取付部２７と基板２１との間に段差ＳＴが形成されるように配置される。取付部２７には端子ユニット２９が取り付けられる。端子ユニット２９の先端面２９ｂは、基板２１と略面一である。
【００３４】
図４は、照明器具１の裏側を示す平面図である。図４に示すように、取付部２７は、筐体２５の一部として形成され、第１取付面３２ａを有する。第１取付面３２ａは第１面２７ａを含む。
【００３５】
第１面２７ａは、基板２１の第１切欠部３１によって規定される第１切欠領域Ａ１（切欠領域）に対向する。第１面２７ａには端子ユニット２９の一部が配置されている。第１取付面３２ａは、第１切欠領域Ａ１に対向するとともに、保持部材２３の第２切欠部３３によって規定される第２切欠領域Ａ２に対向する。第１取付面３２ａには端子ユニット２９が取り付けられている。なお、理解を容易にするため、第１面２７ａ、第１取付面３２ａ、第１切欠領域Ａ１、及び第２切欠領域Ａ２を１点鎖線で示している。
【００３６】
図４〜図６を参照して、筐体２５について詳細に説明する。図５は、筐体２５の内部を示す斜視図である。図４及び図５に示すように、筐体２５は、第１壁部７１と、２つのボス２５ａとを含む。
【００３７】
第１壁部７１は、湾曲しており、平面視において、略円弧状である。第１壁部７１は、基板２１の第１切欠部３１の縁３１ａに対向している。第１壁部７１は、方向Ｄに沿って、取付部２７の第１取付面３２ａの縁のうち湾曲している縁（つまり、第１面２７ａの縁のうち湾曲している縁）から延びている。
【００３８】
２つのボス２５ａは、筐体２５の中心Ｃ（つまり、照明器具１の中心Ｃ）を挟んで、互いに対向する。２つのボス２５ａは２つの凹部３５に対応して形成される。保持部材２３は、凹部３５がボス２５ａに対向するように、筐体２５に収容される。ボス２５ａは、略円柱状であり、ネジ溝を有する。ボス２５ａに建造物を介してボルトを螺合することによって、照明器具１が建造物に取り付けられる。
【００３９】
図６は、カバー７を取り外したときの照明器具１を示す斜視図である。なお、図６では、図面の簡略化のため、外装部材１１を省略している。図５及び図６に示すように、筐体２５には第１開口部５１が形成される。第１開口部５１は、筐体２５において、第１壁部７１に対して取付部２７の反対側に形成される。パネル９は、筐体２５の外面２６ｂの側から、第１開口部５１を覆う。センサー５は、第１開口部５１を介して、第２開口部５２から露出する。パネル９は、略Ｄ字状であり、略直線状に延びる当接部６１を含む。本実施形態では、当接部６１は、段差部であり、段差面６１ａを有する。段差面６１ａとパネル９の主面９ｂとの間には段差が形成される。カバー７は、光源部３を覆うとともに、パネル９の当接部６１に当接するように、筐体２５に取り付けられる。具体的には、カバー７は、略Ｄ字状であり、直線状部７ａを有する。カバー７は、直線状部７ａが当接部６１の段差面６１ａに当接するように、筐体２５に取り付けられる。なお、パネル９のうち略円弧状の部分はビスで筐体２５に固定される。
【００４０】
筐体２５の外面２６ｂには、光源部３が取り付けられる。具体的には、光源部３は取付部２７に取り付けられる。取付部２７は、第１取付面３２ａに対向する第２取付面３２ｂを有する。第２取付面３２ｂには光源部３が取り付けられる。具体的には、第２取付面３２ｂは、第１面２７ａに対向する第２面２７ｂを含む。そして、第２面２７ｂには光源部３が取り付けられている。なお、理解を容易にするため、第２面２７ｂ及び第２取付面３２ｂを１点鎖線で示している。
【００４１】
以上、図２〜図４を参照して説明したように、本実施形態によれば、基板２１に第１切欠部３１を設けている。そして、第１切欠領域Ａ１に対向する第１取付面３２ａに端子ユニット２９が取り付けられる。従って、端子ユニットを基板に実装する場合と比較して、端子ユニット２９が基板２１から突出することを抑制できる。その結果、照明器具１の薄型化を実現できる。照明器具１の薄型化とは、光源部３に略直交する方向に沿った厚みを薄くすることである。
【００４２】
例えば、本実施形態によれば、基板２１を端子ユニット２９の厚さｔ内に収まるよう配置することができる。従って、端子ユニットを基板に実装する場合と比較して、照明器具１の薄型化を実現できる。すなわち、端子ユニットを基板に実装する場合、照明器具に端子ユニットと基板とを収納するための厚さとして、端子ユニットの厚さと基板の厚さとの合計の厚さが必要である。これに対して、本実施形態では、照明器具１に端子ユニット２９と基板２１とを収納するための厚さとして、端子ユニット２９の厚さｔだけで足りる。従って、照明器具１の薄型化を実現できる。
【００４３】
また、本実施形態によれば、基板２１に第１切欠部３１を設けることで、端子ユニット２９に対して配線を接続する際に、作業者の指が入る空間を確保できるため、接続作業が容易になる。
【００４４】
さらに、本実施形態によれば、端子ユニット２９は筐体２５の内部に収まっている。従って、端子ユニットが照明器具の筐体から突出している場合と比較して、照明器具１の取付作業が容易である。例えば、照明器具１を天壁（例えば、天井ボード）に取り付ける際に、天壁に端子ユニット２９を挿入するための穴を開ける作業が不要になり、取付作業が容易である。例えば、照明器具１を天壁に取り付ける際に、端子ユニット２９に形成された接続穴に粉末のような塵が入ることを抑制できる。従って、接続穴をテープのようなカバーで覆う作業が不要になり、取付作業が容易である。例えば、天井裏にブローイング工法を用いて断熱材を施工する際に、粉末状の断熱材が端子ユニット２９の接続穴に入ることを抑制できる。ブローイング工法とは、グラスウールのような粉末状の断熱材を天井裏空間へエアーを用いて積層させる工法のことである。
【００４５】
さらに、本実施形態によれば、保持部材２３に第２切欠部３３を設けている。そして、第２切欠領域Ａ２に対向する第１取付面３２ａに端子ユニット２９が取り付けられる。従って、端子ユニットを基板に実装する場合と比較して、端子ユニット２９が基板２１から突出することを抑制できる。その結果、照明器具１の薄型化を実現できる。また、保持部材２３に第２切欠部３３を設けることで、端子ユニット２９に対して配線を接続する際に、作業者の指が入る空間を確保できるため、接続作業が容易になる。
【００４６】
さらに、本実施形態によれば、第１取付面３２ａと基板２１との間には段差ＳＴが形成されている。従って、端子ユニット２９が基板２１から突出することを更に抑制できる。その結果、照明器具１を更に薄型化できる。
【００４７】
また、図１を参照して説明したように、本実施形態によれば、パネル９は、カバー７とは別部材であるとともに、遮光する。従って、カバー７が拡散した光がパネル９によって遮光され、カバー７が拡散した光をセンサー５が検知することを抑制できる。その結果、センサー５のチャタリングを抑制できる。
【００４８】
さらに、図３を参照して説明したように、本実施形態によれば、センサー５は基板２１に実装される。従って、基板２１に形成される電源回路２２とセンサー５とが１ユニットになる。その結果、電源回路が形成される基板とセンサーとを分離して配置する場合と比較して、照明器具１の組立工数を削減できる。
【００４９】
さらに、図３〜図５を参照して説明したように、本実施形態によれば、保持部材２３には凹部３５が形成される。従って、凹部を形成しない場合と比較して、筐体２５のボス２５ａを照明器具１の中心Ｃに近づけることができる。その結果、照明器具１を小径化でき、照明器具１の小型化を実現できる。照明器具１の小径化とは、光源部３に略平行な方向に沿った幅を小さくすることである。
【００５０】
また、本実施形態によれば、２つの凹部３５は、センサー５に対して対称な位置に形成される。そして、保持部材２３は、２つの凹部３５が２つのボス２５ａに対向するように、筐体２５に収容される。従って、照明器具１を天井のような天壁に取り付ける際、２つの凹部３５の位置、つまり、２つのボス２５ａの位置を定めることで、センサー５の位置が一意に定まる。その結果、センサー５が所望の位置に配置されるように、照明器具１を容易に設置できる。
【００５１】
さらに、本実施形態によれば、筐体２５の第１壁部７１は、基板２１の第１切欠部３１の縁のうちの一部の縁３１ａに対向し、保持部材２３の第２壁部７２は、第１切欠部３１の縁のうちの他の一部の縁３１ｂに対向している。従って、第１壁部７１と２つの第２壁部７２とで、電源回路２２及びセンサー５が実装される基板２１を端子ユニット２９から容易に隔離できる。つまり、第１壁部７１と２つの第２壁部７２とは、平面視において、略Ｕ字状の隔壁を構成する。
【００５２】
さらに、本実施形態によれば、第１壁部７１は湾曲しているため、第１壁部７１の湾曲形状に沿って基板２１の縁３１ａを形成できる。従って、第１壁部を平板状に形成する場合と比較して、基板２１の実装面２８の面積を大きくできる。換言すれば、照明器具１の小型化を実現しつつ、電源回路２２の形成に要求される実装面２８の面積を確保できる。また、第１壁部を平板状に形成する場合と比較して、照明器具１の小型化を実現しつつ、端子ユニット２９に対して配線を接続する際に、作業者の指が入る空間を広くできるため、接続作業が容易になる。
【００５３】
さらに、本実施形態によれば、第１壁部７１を筐体２５に形成している。従って、金型鋳造（例えば、アルミダイキャスト）によって筐体２５を第１壁部７１とともに成形できる。特に、第１壁部７１は湾曲しているため、板金プレス加工による成形よりも、金型鋳造による成形に好適である。一方、第２壁部７２を保持部材２３に形成している。従って、板金プレス加工によって保持部材２３を第２壁部７２とともに成形できる。その結果、第１壁部と第２壁部とを筐体に形成する場合と比較して、板金プレス加工時に板金のうち廃棄する部分を削減できる。また、第２壁部７２を保持部材２３に形成することによって、第１壁部と第２壁部とを筐体に形成する場合と比較して、筐体２５の材料（例えば、アルミニウム）を削減できる。一般的に、金型鋳造で成形される筐体２５の材料（例えば、アルミニウム）は、板金プレス加工で成形される保持部材２３の材料（例えば、板金）よりも高価である。従って、筐体２５の材料を削減することによって、照明器具１のコストを低減できる。
【００５４】
また、図５及び図６を参照して説明したように、本実施形態によれば、筐体２５には第１開口部５１が形成される。従って、筐体２５に収容されるセンサー５を容易に露出させることができる。また、照明器具１がセンサー５及びパネル９を備えない場合においては、光源部３の熱は第１開口部５１から排出される。従って、光源部３が取り付けられる筐体２５の外面２６ｂとカバー７との間の空間に熱がこもることを抑制できる。
【００５５】
さらに、図６を参照して説明したように、本実施形態によれば、カバー７は、パネル９の当接部６１に当接するように、筐体２５に取り付けられる。従って、パネル９の当接部６１がカバー７によって押さえられる。その結果、パネル９を筐体２５に取り付けるためのビスの数を減らすことができる。ビスの数を減らすことで、照明器具１の組立作業におけるビス締め付け作業を削減することができ組立工数を削減できるとともに、部品点数を削減できるため照明器具１を軽量化できる。また、ビスの数を減らすことで、ビスを捻じ込むためのボスの数を減らすことができる。ボスは筐体２５に形成されるため、ボスの数を減らすことで、筐体２５の収納空間が大きくなる。その結果、基板２１の実装面２８の面積を大きくできる。換言すれば、照明器具１の小型化を実現しつつ、電源回路２２の形成に要求される実装面２８の面積を確保できる。
【００５６】
また、本実施形態によれば、光源部３は、第１取付面３２ａに対向する第２取付面３２ｂに取り付けられる。そして、第１取付面３２ａは第１切欠領域Ａ１に対向している。従って、基板２１に略平行な方向において、光源部３と基板２１の電源回路２２とは異なる位置に配置される。その結果、基板に略垂直な方向に沿って光源と電源回路とが配置される場合と比較して、光源部３の熱が電源回路２２に伝わることを抑制できる。
【００５７】
以上、図面を参照しながら本発明の実施形態について説明した。但し、本発明は、上記の実施形態に限られるものではなく、その要旨を逸脱しない範囲で種々の態様において実施することが可能である（例えば、下記に示す（１）〜（５））。また、上記の実施形態に開示されている複数の構成要素を適宜組み合わせることによって、種々の発明の形成が可能である。例えば、実施形態に示される全構成要素から幾つかの構成要素を削除してもよい。さらに、異なる３実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【００５８】
（１）図２を参照して説明したように、端子ユニット２９の先端面２９ｂと基板２１とは略面一であるが、略面一に限定されない。例えば、端子ユニット２９の先端面２９ｂの高さは、基板２１の高さと略同一又は基板２１の高さよりも低いことが好ましい。この例では、照明器具１を更に薄型化できる。高さは取付部２７に対する高さを示す。例えば、基板２１は、端子ユニット２９の厚さｔ内に収まるように配置されてもよい。この例でも、照明器具１を薄型化できる。この場合、端子ユニット２９の先端面２９ｂの高さは、基板２１の高さより高くてもよい。
【００５９】
（２）図３を参照して説明したように、保持部材２３には２つの凹部３５が形成されるが、１つの凹部３５が形成されていてもよいし、３以上の凹部３５が形成されていてもよい。また、凹部３５の形状として任意の形状を採用できる。
【００６０】
（３）図４を参照して説明したように、端子ユニット２９の一部が第１面２７ａに配置されるが、端子ユニット２９の全部が第１面２７ａに配置されていてもよい。
【００６１】
（４）図６を参照して説明したように、光源部３の全部が第２面２７ｂに配置されるが、光源部３の一部が第２面２７ｂに配置されていてもよい。
【００６２】
（５）保持部材２３を備えることなく、基板２１を筐体２５に取り付けてもよい。第１切欠部３１及び第２切欠部３３の各々の形状は、略Ｕ字状に限定されず、任意の形状を採用できる。第１切欠部３１の形状が第２切欠部３３の形状と異なっていてもよい。第１壁部７１は湾曲していなくてもよい。第１壁部７１と第２壁部７２とを、保持部材２３に形成してもよく、筐体２５に形成してもよい。照明器具１の形状は、略円板状に限定されず、任意の形状を有していてもよい。基板２１及び保持部材２３の各々の形状は、略馬蹄形に限定されず、任意の形状を有していてもよい。なお、第１壁部７１及び第２壁部７２を形成しなくてもよい。凹部３５を形成しなくてもよい。パネル９は、当接部６１を有していなくてもよいし、遮光しなくてもよい。センサー５及びパネル９を備えていなくてもよい。第１開口部５１は形成されていなくてもよい。
【００６３】
本明細書は、さらに以下の付記を開示する。
（付記１）
本願に開示する照明器具１は、発光素子３ａを含む光源部３と、前記光源部３に接続される回路２２が形成される基板２１と、前記基板２１を保持する保持部材２３とを備える。前記保持部材２３の縁Ｅ２は、前記基板２１の縁Ｅ１よりも前記基板２１の外側に位置する。前記保持部材２３の前記縁Ｅ２には、凹部３５が形成される。
【００６４】
この構成によれば、凹部を形成しない場合と比較して、筐体２５のボス２５ａを照明器具１の中心Ｃに近づけることができる。その結果、照明器具１を小径化でき、照明器具１の小型化を実現できる。
【００６５】
（付記２）
本願に開示する照明器具１は、発光素子３ａを含む光源部３と、前記光源部３に接続される回路２２が形成される基板２１と、前記光源部３及び前記基板２１を収容する筐体２５とを備える。前記筐体２５は、湾曲している第１壁部７１を含む。前記第１壁部７１は、前記基板２１の縁３１ａに対向し、前記基板２１のうち前記回路２２が形成される面２８に交差する方向Ｄに沿って延びている。
【００６６】
この構成によれば、第１壁部７１の湾曲形状に沿って基板２１の縁３１ａを形成できる。従って、第１壁部を平板状に形成する場合と比較して、基板２１のうち回路２２が形成される面２８の面積を大きくできる。換言すれば、照明器具１の小型化を実現しつつ、回路２２の形成に要求される面２８の面積を確保できる。また、第１壁部を平板状に形成する場合と比較して、照明器具１の小型化を実現しつつ、端子ユニット２９に対して配線を接続する際に、作業者の指が入る空間を広くできるため、接続作業が容易になる。
【００６７】
（付記３）
本願に開示する照明器具１は、第１開口部５１が形成され筐体２５と、前記筐体２５の外面２６ｂに取り付けられ、発光素子３ａを含む光源部３と、前記筐体２５の前記外面２６ｂの側から前記第１開口部５１を覆うとともに、第２開口部５２が形成されるパネル９と、前記筐体２５に収容され、前記第１開口部５１を介して前記第２開口部５２から露出するセンサー５と、前記光源部３を覆うカバー７とを備える。前記パネル９は、前記カバー７が当接する当接部６１を含む。
【００６８】
この構成によれば、パネル９の当接部６１がカバー７によって押さえられる。その結果、パネル９を筐体２５に取り付けるためのビスの数を減らすことができる。ビスの数を減らすことで、照明器具１の組立作業におけるビス締め付け作業を削減することができ組立工数を削減できるとともに、部品点数を削減できるため照明器具１を軽量化できる。また、ビスの数を減らすことで、ビスを捻じ込むためのボスの数を減らすことができる。ボスは筐体２５に形成されるため、ボスの数を減らすことで、筐体２５の収納空間が大きくなる。その結果、基板２１の実装面２８の面積を大きくできる。換言すれば、照明器具１の小型化を実現しつつ、電源回路２２の形成に要求される実装面２８の面積を確保できる。
【産業上の利用可能性】
【００６９】
本発明は、照明器具を提供するものであり、産業上の利用可能性を有する。
【符号の説明】
【００７０】
１    照明器具
３    光源部
３ａ    ＬＥＤ（発光素子）
５    センサー
７    カバー
９    パネル
２１    基板
２２    電源回路（回路）
２３    保持部材
２５    筐体
２７    取付部
２８    実装面（面）
２９    端子ユニット
２９ａ    端子
３１    第１切欠部
３２ａ    第１取付面
３２ｂ    第２取付面
３３    第２切欠部
３５    凹部
５１    第１開口部
５２    第２開口部
６１    当接部
７１    第１壁部
７２    第２壁部
Ａ１    第１切欠領域（切欠領域）
Ａ２    第２切欠領域
【図１】
0006636256.tif 000002
【図２】
0006636256.tif 000003
【図３】
0006636256.tif 000004
【図４】
0006636256.tif 000005
【図５】
0006636256.tif 000006
【図６】
0006636256.tif 000007